(57)【特許請求の範囲】
【請求項１】
カラー原稿を読み取るカラー画像読み取り手段と、その読み取ったカラー画像情報を通信用の情報に変換するカラー画像処理手段と、その変換したカラー画像情報を、回線を通じて他のファクシミリ装置との間で通信するファクシミリ通信手段とを有するファクシミリ装置において、
上記読み取り手段が読み取ったカラー画像と白黒画像とをメモリに格納する格納手段と；
上記メモリに格納されているカラー画像、白黒画像のそれぞれを管理するための画像管理領域を上記メモリに設定する画像管理領域設定手段と；
上記メモリに格納されているカラー画像と白黒画像とを、上記画像管理領域で管理する画像管理手段と；
を有し、上記画像管理領域設定手段は、上記メモリの容量が多い場合には、上記カラー画像、上記白黒画像のそれぞれに対する画像管理領域を、上記カラー画像の記憶領域と上記白黒画像の記憶領域とは独立した領域にまとめて設定し、上記メモリの容量が少ない場合には、上記カラー画像、白黒画像のそれぞれに対する画像管理領域を、対応するカラー画像の記憶領域、白黒画像の記憶領域にそれぞれ設定する手段であることを特徴とするファクシミリ装置。
【請求項２】
カラー画像と白黒画像とをメモリに格納させる格納工程と；
上記メモリに格納されているカラー画像、白黒画像のそれぞれを管理するための画像管理領域を上記メモリに設定する画像管理領域設定工程と；
を有し、上記画像管理領域設定工程は、上記メモリの容量が多い場合には、上記カラー画像、上記白黒画像のそれぞれに対する画像管理領域を、上記カラー画像の記憶領域と上記白黒画像の記憶領域とは独立した領域にまとめて設定し、上記メモリの容量が少ない場合には、上記カラー画像、白黒画像のそれぞれに対する画像管理領域を、対応するカラー画像の記憶領域、白黒画像の記憶領域にそれぞれ設定する工程であることを特徴とする画像処理方法。
【発明の詳細な説明】
【０００１】
【産業上の利用分野】
本発明は、特にカラー原稿を送信可能なファクシミリ装置に関する。
【０００２】
【従来の技術】
近年、最も普及しているＧ３ファクシミリ装置は、ＩＴＵ−Ｔ（旧ＣＣＩＴＴ）勧告Ｔ．４、Ｔ．３０、Ｔ．５、Ｔ．６によって規定されており、今後もさらに新規機能の標準化が行われて行く予定である。このような過程で、現在検討されているのが、ＩＴＵ−Ｔ勧告Ｔ．８１で定められたカラー関連のＧ３規格への導入である。
【０００３】
【発明が解決しようとする課題】
しかしながら、現状では、カラー機能を設けていないファクシミリ装置がほとんどであるため、カラーと白黒の両方を扱える装置と白黒専用の従来装置との通信において、次のような未だ改善されていない点がある。
【０００４】
（１）白黒専用通信機と通信するための使い勝手が悪い。
【０００５】
カラー機同士の通信は、現在はそれぞれのメーカ機で個別モードで行っているが、ＩＴＵの勧告が進むにつれて、他社機との互換性が改善され、異なるメーカのカラー機間での交信が行われるようになる。
【０００６】
そこで、問題となるのが、カラー原稿を送りたい時に、相手機が白黒専用機だった場合に、ユーザの使い勝手が複雑となることである。具体的には、例えば送信側のカラー機から受信側の白黒機に一方的に送信を実行した場合に、そのカラー原稿が、実際にカラーで送られたか、白黒で送られたか不明であったり、送信モードとして、カラー送信、白黒送信、カラーデータでの白黒送信と、場合分けが多くなることが予想され、適切な対応が必要となる。
【０００７】
（２）白黒通信機と通信するための仕様の拡張性が乏しい。
【０００８】
既存のファクシミリ装置では、カラー機能を持っているものが少なく、また、持っていても独自のカラー通信を行っていることが多いため、白黒専用機に対して通信を行いたい時は、白黒通信機能を用いて送ることになり、カラー通信機能と白黒通信機能を両方備えなくてはならず、カラー、白黒の混合原稿等の通信は不可能である。
【０００９】
そこで、本発明は、カラー通信を行える装置において、カラーと白黒の混在原稿を有効に扱うことができるファクシミリ装置を提供することを目的とする。
【００１０】
【課題を解決するための手段】
本発明は、カラー原稿を読み取るカラー画像読み取り手段と、その読み取ったカラー画像情報を通信用の情報に変換するカラー画像処理手段と、その変換したカラー画像情報を、回線を通じて他のファクシミリ装置との間で通信するファクシミリ通信手段とを有するファクシミリ装置において、上記読み取り手段が読み取ったカラー画像と白黒画像とをメモリに格納する格納手段と、上記メモリに格納されているカラー画像、白黒画像のそれぞれを管理するための画像管理領域を上記メモリに設定する画像管理領域設定手段と、上記メモリに格納されているカラー画像と白黒画像とを、上記画像管理領域で管理する画像管理手段とを有し、上記画像管理領域設定手段は、上記メモリの容量が多い場合には、上記カラー画像、上記白黒画像のそれぞれに対する画像管理領域を、上記カラー画像の記憶領域と上記白黒画像の記憶領域とは独立した領域にまとめて設定し、上記メモリの容量が少ない場合には、上記カラー画像、白黒画像のそれぞれに対する画像管理領域を、対応するカラー画像の記憶領域、白黒画像の記憶領域にそれぞれ設定する手段であることを特徴とするファクシミリ装置である。
また、本発明は、カラー画像と白黒画像とをメモリに格納させる格納工程と、上記メモリに格納されているカラー画像、白黒画像のそれぞれを管理するための画像管理領域を上記メモリに設定する画像管理領域設定工程とを有し、上記画像管理領域設定工程は、上記メモリの容量が多い場合には、上記カラー画像、上記白黒画像のそれぞれに対する画像管理領域を、上記カラー画像の記憶領域と上記白黒画像の記憶領域とは独立した領域にまとめて設定し、上記メモリの容量が少ない場合には、上記カラー画像、白黒画像のそれぞれに対する画像管理領域を、対応するカラー画像の記憶領域、白黒画像の記憶領域にそれぞれ設定する工程であることを特徴とする画像処理方法である。
【００１９】
【実施例】
図１は、本発明の一実施例によるファクシミリ装置の構成を示す概略ブロック図である。
【００２０】
ＣＰＵ１０１は、システム制御部であり、装置全体を制御する。ＲＯＭ１０２は、ＣＰＵ１０１の制御プログラムを格納するものである。ＲＡＭ１０３は、ＳＲＡＭ等で構成され、プログラム制御変数等を格納するためのものである。また、オペレータが登録した設定値や装置の管理データ等や各種ワーク用バッファもＲＡＭに格納されるものである。画像メモリ１０４は、ＤＲＡＭ等で構成され、画像データを蓄積するためのものである。
【００２１】
解像度変換処理部１０５は、ラスタデータのミリ−インチ解像度変換などの解像度変換制御を行うものでありる。
【００２２】
通信用符号化復号化処理部（通信用コーデック）１０６、および、読取・記録用符号化復号化処理部（読取・記録用コーデック）１０７は、ファクシミリ装置で扱う画像データの符号化復号化処理を行う。
【００２３】
ＪＰＥＧ処理部１１４は、カラー画像の符号化を行うもので、ＤＳＰ等で構成される。計時部１０８は、動作間隔等を計測するものであり、時計ＩＣ等で構成される。
【００２４】
ＭＯＤＥＭ（変復調装置）１０９は、ファクシミリの送受信信号の変復調を行うものであり、ＮＣＵ（網制御装置）１１０は、選択信号（ダイヤルパルスまたはトーンダイヤラ）を、通信回線１１９に送出する機能を有し、呼出音の検出による自動着信動作および回線制御動作を行うものである。
【００２５】
シートスキャナ１１２、ブックスキャナ１１３は、ＣＳイメージセンサ、原稿搬送機構などで構成され、原稿を光学的に読み取って電気的な画像データに変換するものである。この画像データは、画像処理部１１１により補正処理を施して高精細な画像データを出力するものである。
【００２６】
操作部１１５は、キーボード等で構成され、オペレータが各種入力操作を行うためのものである。ラインバッファ１１６は、画像データの転送制御を行う場合に使用するラインバッファである。
【００２７】
プリンタ１１８は、受信画像やファイルデータを普通紙に記録するＬＢＰである。プリンタフォーマッタ１１７は、ワークステーションなどからのファイルデータのプリントを行う際に、プリンタ記述言語を解析し、画像データに変換するものである。
【００２８】
図２は、本実施例におけるファクシミリ装置の外観を示す斜視図図である。
【００２９】
操作部１１５は、動作を指示したり内容を確認する表示部を備えている。シート読み取り部２０２は、ＡＤＦ機構を搭載している。シート読み取りユニット２０３は、本体との間でブック原稿をはさみ込んで読み取りを行う構造となっており、ブック読み取り時のブック原稿押さえカバーを兼ねたている。また、記録紙ホルダ２０４には、記録紙がセットされている。
【００３０】
図３は、上記操作部１１５の構成を示す平面図である。
【００３１】
この操作部１１５は、電話をかけたり、各種の設定を行うテンキー３０１、内容確認を行うＬＣＤ等で構成される表示部３０２、ワンタッチで相手を選択できるワンタッチキー３０３、動作の開始を指示するスタートキー３０４、動作の中断を指示するストップキー３０５、カラー送信を指示したり、白黒送信を指示したり、カラーデータでの白黒送信を指示したりする特殊キー３０６、カラー読み取り状態を表示するＬＥＤ等で構成される動作表示部３０７等を有する。
【００３２】
図４は、本実施例のオペレーション、および装置動作の流れを示す説明図である。
【００３３】
まず、オペレータは、シートまたは、ブック読み取り部にカラー原稿をセットする（４０１）。次に、操作部１１５のカラー送信ボタン（特殊キー３０６）を押下し（４０２）、さらに、テンキー３０１または、ワンタッチキー３０３等で相手機を呼び出すために電話番号を入力し、この番号によりファクシミリ装置は相手機に発呼する（４０３）。
【００３４】
そして、相手機とつながったら、スタートキーを押下する（４０４）。その後、前もって設定されているスイッチ等にしたがって、読み込み待ちで通信を行うか（４０５）、通信の前にカラーで読み込みを行ってしまうか（４１５）、通信の前にカラーと白黒と両方で読み込んでしまうか（４２５）、の各モードに分けられる。
【００３５】
そして、相手からのＤＩＳ信号を受信（４０６、４１６、４２６）すると、その内容により、カラー送信が可能か（４０７、４１７、４２７）、白黒しかできないか（４０９、４１９、４２９）が判断できるので、カラー送信（４０８、４１８、４２８）を行うか、白黒送信（４１０）を行うか、カラーデータでの白黒送信（４２０）を行うか、白黒での白黒送信（４３０）を行うか、さらには、回線を切断して中止（４１１、４２１、４３１）するか、を自動的に切分けるか、または、操作者の指示を待って（４１２、４２２、４３２）、白黒送信（４１３）を行うか、カラーデータでの白黒送信（４２３）を行うか、白黒での白黒送信（４３３）を行うか、さらには、回線を切断して中止（４１４、４２４、４３４）するか、を手動的に切分ける。
【００３６】
図５は、本実施例における白黒画像とカラー画像のメモリ格納状態を示す説明図である。
【００３７】
図中、５０１は、混在して格納されたカラー画像と白黒画像を識別するための画像管理領域をカラー画像の記憶領域と白黒画像の記憶領域に含ませた例を示しており、５０２は、カラー画像の記憶領域と白黒画像の記憶領域の記憶状態を独立した画像管理領域により管理する例を示している。このような記憶方法によって、画像データの読取りや送信の各種処理において、カラー画像か白黒画像かを識別でき、円滑な処理が可能となる。
【００３８】
また、本実施例では、これらの記憶方法をソフトスイッチ等の初期設定により、選択して用いることができる。
【００３９】
すなわち、前者の方法（５０１）では、独立の画像管理領域を設定する必要がないので、メモリ容量の点では有利であるが、画像データの読み書きに際して、混在するカラー画像と白黒画像のそれぞれについて、画像管理領域を参照してカラーか白黒かの判断等を行うため、その分、動作が遅くなる。一方、後者の方法（５０２）では、混在するカラー画像と白黒画像を、独立した画像管理領域で一括して管理でき、論理的なアドレスによってカラー画像と白黒画像を分類整理することができ、画像データの読み書きが迅速に行える。
【００４０】
そこで、本実施例では、メモリ容量が少ないときには、前者の方法（５０１）を採用し、メモリ容量が十分なときは、後者の方法（５０２）を採用することで、最適な制御が可能となる。
【００４１】
なお、メモリ効率という点では劣るものの、カラー画像の記憶領域と白黒画像の記憶領域とを完全に独立して設け、その物理アドレスによってカラー画像と白黒画像とを識別する方法も可能である。
【００４２】
図６は、本実施例の通信時における信号内部のカラー情報ビットを示す説明図である。
【００４３】
図中、６０１は、ＤＩＳ／ＤＴＣ／ＤＣＳ信号の６８ビット目を意味し、カラー機能有り／無しを判断する情報である。また、６０２は、ＤＩＳ／ＤＴＣ／ＤＣＳ信号の６９ビット目を意味し、カラーでの通信が可能／不可能を判断する情報である。
【００４４】
図７は、通常の１ページ通信のプロトコルにおけるカラー原稿の読み込みタイミングを表わす説明図である。
【００４５】
図中、７０１は、相手機からの情報を受信する前にカラー原稿を読み込むタイミング位置を示し、７０２は、相手機からの情報を受信した後にカラー原稿を読み込むタイミング位置を示している。
【００４６】
次に、図８〜図１２の制御フローチャートを用いて、本発明の詳細な動作を説明する。
【００４７】
図８は、本実施例において、送信時に、相手機能を認識してから読み込むかどうかを選択する場合の動作を示すフローチャートである。
【００４８】
まず、カラー原稿をセットしてカラー送信指示（Ｓ８０１）を受けた後、前もって設定されているスイッチを参照（Ｓ８０２）して、相手機の信号を受信してから読み込み動作（Ｓ８０４）を行うか、即読み込み動作（Ｓ８０３）を行うか決定する。
【００４９】
このように、本実施例においては、２種類の読取タイミングを選択できることによる仕様の向上、およびオペレーションの簡素化による使い勝手の向上を図ることができる効果がある。
【００５０】
図９は、Ｓ８０４において、相手機能を認識してから読み込む場合の動作を示すフローチャートである。
【００５１】
まず、通信を開始して、相手機から送られてくるＤＩＳ信号を受信（Ｓ９０１）して、ＤＩＳ信号の６８ビット目、６９ビット目の両方が「１」かどうか判断（Ｓ９０２）し、両方が「１」である場合には、カラー読み込みによるカラー送信（Ｓ９０６）を行う。また、少なくともどちらかが「０」だった場合は、前もって設定してあるスイッチを参照（Ｓ９０３）して、自動判定による処理（Ｓ９０４）を行うか、手動判定による処理（Ｓ９０５）を行うかを決定する。
【００５２】
このように、本実施例においては、２種類（自動／手動選択）の読取方法を選択できることによる仕様の向上を図ることができる効果がある。
【００５３】
図１０は、上記Ｓ９０４おいて、自動判定を行う場合の動作を示すフローチャートである。
【００５４】
まず、前もって設定してあるスイッチを参照（Ｓ１００１）し、相手機がカラー機能を持っていない時に白黒での送信は行わないことが設定されている場合には、回線を切断する処理（Ｓ１００３）を行う。
【００５５】
また、相手機より受信したＤＩＳ信号の６８ビット目、６９ビット目の両方が「０」かどうかを判定（Ｓ１００２）し、両方が「０」であれば、白黒送信を行う（Ｓ１００４）。
【００５６】
また、相手機より受信したＤＩＳ信号の６８ビット目、６９ビット目が「１」「０」かどうかを判定（Ｓ１００２）し、「１」「０」であれば、カラーデータでの白黒送信を行う（Ｓ１００５）。
【００５７】
このように、本実施例においては、相手機の機能を自動的に判断して通信手段を決定することで、オペレーションの簡素化による使い勝手の向上を図ることができる効果がある。
【００５８】
図１１は、上記Ｓ９０５において、手動判定を行う場合の動作を示すフローチャートである。
【００５９】
相手機がカラー受信可能で無いと判断した時に、操作者に、その旨を表示部等（可視表示や可聴表現）で表現して、操作者の入力を促す（Ｓ１１０１）。ここで、操作者からの入力を待っている時間は、ＩＴＵ勧告におけるＴ１時間と共有させ、Ｔ１時間がタイムオーバー（Ｓ１１０３）したときは、回線切断処理を行う（Ｓ１１０４）。
【００６０】
また、入力があると（Ｓ１１０２）、その指示が切断指示であれば（Ｓ１１０５）、回線を切断する処理（Ｓ１１０４）を行う。さらに、カラー機能での白黒送信を行う指示（Ｓ１１０６）であれば、カラーで読み取り、白黒送信を行う（Ｓ１１０８）。また、そうでなければ、白黒で読み取り、白黒で送信（Ｓ１１０７）する。
【００６１】
このように、本実施例においては、操作者の入力待ち時間をＩＴＵのＴ１時間と共有することで、タイマ機能を新たに必要としないため、機能の向上に対して、コストがかからない仕様の向上を図ることができる効果がある。
【００６２】
図１２は、相手機能を認識する前に読み込む場合の動作を示すフローチャートである。
【００６３】
まず、前もって設定してあったスイッチを参照し（Ｓ１２０１）、カラー情報としてカラー原稿を読み込む（Ｓ１２０２）か、カラー情報と白黒情報の２つの情報で読み込むか（Ｓ１２０３）を決定する。なお、カラー情報と白黒情報の２つの情報で読み込む時は、メモリに白黒領域とカラー領域とを分割する方法と、管理領域によって管理させて、混在させて記憶させる方法が選択できる。
【００６４】
ここで、カラー画像と白黒画像とを混在して記憶させることで、記憶容量の有効な使用によるコストの面での向上を図ることができる効果がある。
【００６５】
また、読み込んだ後の処理に関しては、図９〜図１１における処理とほぼ同等に行える。すなわち、相違点としては、読み込む処理が無くなることと、図４に示すように、相手機能を認識した時点で既に読み取った画像データにより送信を行うことに伴い、送信画像データと送信モードとの間に多少の制限が入るが、基本的には同様である。
【００６６】
【発明の効果】
以上説明したように、本発明によれば、カラー画像を読み取る際に、カラー画像と白黒画像とを混在して記憶することを管理する画像管理領域を有する画像管理手段を設けたことから、カラー画像と白黒画像とを混在して記憶した場合でも、送信モードの選択結果に応じて適正な送信を行うことができる効果がある。
【図面の簡単な説明】
【図１】本発明の一実施例によるファクシミリ装置の構成を示すブロック図である。
【図２】上記実施例におけるファクシミリ装置の外観を示す斜視図図である。
【図３】上記実施例における操作部の構成を示す平面図である。
【図４】上記実施例のオペレーションおよび装置動作の流れを示す説明図である。
【図５】上記実施例における白黒画像とカラー画像のメモリ格納状態を示す説明図である。
【図６】上記実施例の通信時における手順信号内部のカラー情報ビットを示す説明図である。
【図７】通常の１ページ通信のプロトコルにおけるカラー原稿の読み込みタイミングを表わす説明図である。
【図８】上記実施例において、送信時に、相手機能を認識してから読み込むかどうかを選択する場合の動作を示すフローチャートである。
【図９】上記実施例において、相手機能を認識してから読み込む場合の動作を示すフローチャートである。
【図１０】上記実施例において、送信モードの自動判定を行う場合の動作を示すフローチャートである。
【図１１】上記実施例において、送信モードの手動判定を行う場合の動作を示すフローチャートである。
【図１２】上記実施例において、相手機能を認識する前に読み込む場合の動作を示すフローチャートである。
【符号の説明】
１０１…ＣＰＵ、
１０２…ＲＯＭ、
１０３…ＲＡＭ、
１０４…画像メモリ、
１０５…解像度変換処理部、
１０６…通信用符号化復号化処理部、
１０７…読取・記録用符号化復号化処理部、
１０８…計時部、
１０９…変復調装置、
１１０…網制御装置、
１１１…画像処理部、
１１２…シートスキャナ、
１１３…ブックスキャナ、
１１４…ＪＰＥＧ処理部、
１１５…操作部、
１１６…ラインバッファ、
１１７…プリンタフォーマッタ、
１１８…プリンタ、
１１９…通信回線。
【図１】
0003591889.tif 000002
【図２】
0003591889.tif 000003
【図３】
0003591889.tif 000004
【図４】
0003591889.tif 000005
【図５】
0003591889.tif 000006
【図６】
0003591889.tif 000007
【図７】
0003591889.tif 000008
【図８】
0003591889.tif 000009
【図９】
0003591889.tif 000010
【図１０】
0003591889.tif 000011
【図１１】
0003591889.tif 000012
【図１２】
0003591889.tif 000013